(57)【特許請求の範囲】
【請求項１】
無線送受信ユニット（ＷＴＲＵ）であって、
セルを検出し、
前記セルがクローズドサブスクライバグループ（ＣＳＧ）セルであるかどうかを判定し、
前記セルに関連付けられた周波数内再選択表示を読み込み、
異なるＣＳＧセルが前記ＷＴＲＵのホワイトリストにあるか、またはアクセス可能であるという条件で、前記周波数内再選択表示の値に関係なく、前記周波数上の前記異なるＣＳＧセルへの周波数内セル再選択を許可する
ように構成された、プロセッサ、送信機、および受信機を備えたことを特徴とするＷＴＲＵ。
【請求項２】
前記プロセッサ、前記送信機、および前記受信機は、前記セルがＣＳＧセルであるという条件で、前記周波数内再選択表示に関係なく、前記セルと同じ周波数上の他のセルを再選択するようにさらに構成されることを特徴とする請求項１に記載のＷＴＲＵ。
【請求項３】
前記プロセッサ、前記送信機、および前記受信機は、少なくとも１つのセル再選択基準が満たされるというさらなる条件で、再選択するようにさらに構成されることを特徴とする請求項１に記載のＷＴＲＵ。
【請求項４】
前記プロセッサ、前記送信機、および前記受信機は、前記周波数内再選択表示が周波数内セル再選択は許可されないことを示すという条件で、前記セルと異なる周波数上の他のセルを再選択するようにさらに構成されることを特徴とする請求項１に記載のＷＴＲＵ。
【請求項５】
複数の通信周波数のそれぞれに対する優先順位情報を受信するように構成された受信機と、
無線送受信ユニット（ＷＴＲＵ）で前記優先順位情報を格納するように構成されたメモリと、
クローズドサブスクライバグループ（ＣＳＧ）セルは前記優先順位情報に基づいて最高ランクのセルであるという条件、および前記ＣＳＧセルは前記ＷＴＲＵのホワイトリストに含まれないという条件で、前記ＣＳＧセルでない異なるセルを選択する
ように構成されたプロセッサと
を備えたことを特徴とするＷＴＲＵ。
【請求項６】
前記異なるセルは、２番目に高いランクのセルであることを特徴とする請求項５に記載のＷＴＲＵ。
【請求項７】
前記異なるセルは、異なるＣＳＧセルであることを特徴とする請求項５に記載のＷＴＲＵ。
【請求項８】
前記異なるセルは、マクロセルであることを特徴とする請求項５に記載のＷＴＲＵ。
【請求項９】
前記異なるセルは、前記ＣＳＧセルと同じ通信周波数上のものであることを特徴とする請求項５に記載のＷＴＲＵ。
【請求項１０】
前記ＣＳＧセルは前記優先順位情報に基づいて最高ランクのセルであるという条件、および前記ＣＳＧセルは前記ＷＴＲＵの前記ホワイトリストに含まれるという条件で、前記ＣＳＧセルにキャンプオンし続けていることを特徴とする請求項５に記載のＷＴＲＵ。
【発明の詳細な説明】
【技術分野】
【０００１】
本願は、無線通信に関する。
【背景技術】
【０００２】
３ＧＰＰ  ＬＴＥ（Long Term Evolution）プログラムの現在の取り組みは、改善されたスペクトル効率、短縮された待ち時間ならびにより高速なユーザ体験、より豊富なアプリケーションおよび低コストのサービスをめざして、無線リソースのよりよい利用を提供するために、新しいＬＴＥの設定および構成に新たな技術、新たなアーキテクチャならびに新たな方法をもたらすことにある。
【０００３】
こうした取り組みの一環として、３ＧＰＰでは、ＬＴＥ（さらに場合によっては並行して、ＷＣＤＭＡ（登録商標）のリリース８、ＧＥＲＡＮおよび他のセルラー規格）にＨｅＮＢ（home enhanced Node B）の概念を導入することが考えられている。ＨｅＮＢは、無線ローカルエリアネットワーク（ＷＬＡＮ）のアクセスポイント（ＡＰ）と同様の物理デバイスを指す。ＨｅＮＢは、家庭または小規模オフィスなどの極めて小さいサービスエリアにわたり、ユーザにＬＴＥサービスへのアクセスを提供する。ＨｅＮＢは、たとえば、公衆インターネット接続を使用することにより、オペレータのコアネットワークに接続するよう意図されている。これは特に、ＬＴＥが配置されていないエリア、および／またはレガシー３ＧＰＰ無線アクセス技術（ＲＡＴ）の通信可能範囲が既に存在するエリアにおいて有用となり得る。これはまた、たとえば地下鉄またはショッピングモールにいる間に発生する無線伝送の問題のためＬＴＥの通信可能範囲が微弱になるか消滅してしまうこともあり得るエリアにおいて有用になる場合がある。
【０００４】
ＨｅＮＢによって配置されるセル（ＨｅＮＢによって提供される無線通信可能範囲が利用可能なエリアを表す用語）は、セルのサービスを利用することができる加入者のグループ（たとえば、家族）しかアクセスすることができず、そのようなセルは、ＨｅＮＢセル、または通称としてクローズドサブスクライバグループ（ＣＳＧ）セルと呼ばれることもある。ＨｅＮＢは、ＬＴＥの通信可能範囲が所望されるエリアにわたり（通常は）１つまたは複数のＣＳＧセルを配置するために使用することができる。ＣＳＧセルという用語は、ＬＴＥサービス用にＨｅＮＢによって配置されたセル、または、ＷＣＤＭＡ用もしくは他のレガシー３ＧＰＰのＲＡＴサービス用にＨＮＢによって配置されたセルに対して使用することができる。
【発明の概要】
【発明が解決しようとする課題】
【０００５】
ＣＳＧセルに対するセル選択および再選択の基準は、現在未解決の問題である。このことは、いくつかの他の問題を提起する。
【０００６】
（１）ＣＳＧセルに対して優先順位スキームが存在しない。
【０００７】
（２）ＣＳＧセルがそのホワイトリストで構成されているかどうかをＷＴＲＵが決定する必要のあるＣＳＧ識別子は、現在複数のシステム情報ブロック（ＳＩＢ）内にある。場合により周波数レイヤで何百ものＣＳＧセルのＳＩＢを読み取ることは、費やされる時間および電力の点から必要以上に高価になる可能性がある。
【０００８】
（３）ＣＳＧセルの、ＱhystおよびＱoffsetなど、セル選択および再選択のための他のパラメータは定義されていない。
【課題を解決するための手段】
【０００９】
ＣＳＧセルへのセル選択およびセル再選択に使用されるパラメータおよび手順が開示される。
【００１０】
ＣＳＧセルの優先順位を適用するための方法であって、ＣＳＧセルが通信することができる複数の通信周波数のそれぞれの優先順位情報を受信すること、無線送信／受信ユニットにおいて優先順位情報を格納すること、および、優先順位情報を、通信周波数で優先順位情報を測定すること、通信周波数のＣＳＧセルに選択することまたは通信周波数のＣＳＧセルに再選択することのうちの少なくとも１つに適用することを含む方法。
【００１１】
ＣＳＧセルをグループ化すること、ＣＳＧセルのステータスを指示すること、ＷＴＲＵにより複数のＣＳＧセルを処理すること、ＷＴＲＵによりＣＳＧセル間で再選択することおよびＷＴＲＵによる手動のＣＳＧセル選択に関する方法もまた開示される。
【図面の簡単な説明】
【００１２】
より詳細な理解は、添付の図面と併せて一例として示された以下の説明から得ることができる。
【図１】複数の無線送信／受信ユニット（ＷＴＲＵ）およびＨｅＮＢ（home enhanced Node B）を含む例示的無線通信システムを示す図である。
【図２】図１の１つのＷＴＲＵおよびＨｅＮＢを示す例示的機能ブロック図である。
【図３】ＣＳＧセルをグループ化するための方法を示すフローチャートである。
【図４】複数のＣＳＧセルを処理するための方法を示すフローチャートである。
【図５】複数のＣＳＧセルを処理するための第２の方法を示すフローチャートである。
【図６】複数のＣＳＧセルを処理するための第３の方法を示すフローチャートである。
【図７】ＣＳＧセル間で再選択するための方法を示すフローチャートである。
【図８】手動でＣＳＧセルを選択のための方法を示すフローチャートである。
【発明を実施するための形態】
【００１３】
以下を参照するとき、「無線送信／受信ユニット（ＷＴＲＵ）」という用語は、ユーザ機器（ＵＥ）、移動局、固定もしくは移動加入者ユニット、ページャー、携帯電話、携帯情報端末（ＰＤＡ）、コンピュータ、または、無線環境において動作可能な他の任意の種類のユーザデバイスを含むが、これらに限定されない。以下で参照するとき、「基地局」という用語は、ノードＢ、サイトコントローラ、アクセスポイント（ＡＰ）、または、無線環境において動作可能な他の任意の種類のインターフェイスデバイスを含むが、これらに限定されない。
【００１４】
図１は、複数のＷＴＲＵ１１０およびＨｅＮＢ１２０を含む例示的無線通信システム１００を示している。図１に示すように、ＷＴＲＵ１１０は、ＨｅＮＢ１２０と通信する。図１において、ＷＴＲＵ１１０およびＨｅＮＢ１２０の例示的構成が示されているが、無線通信システム１００は、無線デバイスおよび有線デバイスの任意の組合せを含むことが可能であることに留意する。
【００１５】
図２は、図１の無線通信システム１００のＷＴＲＵ１１０およびＨｅＮＢ１２０を示す例示的機能ブロック図２００である。図２に示すように、ＷＴＲＵ１１０は、ＨｅＮＢ１２０と通信する。
【００１６】
通常のＷＴＲＵに見られるコンポーネントに加えて、ＷＴＲＵ１１０は、プロセッサ１１２、送信機１１４、受信機１１６およびアンテナ１１８を含む。送信機１１４および受信機１１６は、プロセッサ１１２と通信する。アンテナ１１８は、送信機１１４および受信機１１６の両方と通信して無線データの送信および受信を容易にする。ＷＴＲＵ１１０のプロセッサ１１２は、セル選択および再選択を実行するように構成される。
【００１７】
通常のＨｅＮＢに見られるコンポーネントに加えて、ＨｅＮＢ１２０は、プロセッサ１２２、送信機１２４、受信機１２６およびアンテナ１２８を含む。送信機１２４および受信機１２６は、プロセッサ１２２と通信する。アンテナ１２８は、送信機１２４および受信機１２６の両方と通信して無線データの送信および受信を容易にする。ＨｅＮＢ１２０のプロセッサ１２２は、セル選択および再選択に使用可能なＷＴＲＵ１１０に情報を提供するように構成される。
【００１８】
ＣＳＧセルおよびＷＴＲＵのホワイトリスト
ＷＴＲＵは、ＷＴＲＵに格納されているホワイトリスト内にあるＣＳＧセルだけにアクセスすることができる。ＷＴＲＵが、ホワイトリストにないＣＳＧセルにアクセスを試みる場合、ネットワークはそのアクセスを拒否することができる。通常の操作手順の下では、ＷＴＲＵは最初に、ＣＳＧセルがそのホワイトリスト内にあるかどうかを確認し、ＣＳＧセルがホワイトリストにある場合に限り、ＷＴＲＵはその再選択を開始する。
【００１９】
ホワイトリストに取り込むため、ネットワークは、無線によりホワイトリストのシグナリングを提供する。ホワイトリストは、ＷＴＲＵにおいてＵＭＴＳ（Universal Mobile Telecommunications System）の加入者識別モジュール（ＵＳＩＭ）に書き込まれる。非アクセス階層（ＮＡＳ）は、ＵＳＩＭを読み取り、ホワイトリストをＷＴＲＵに取り込む。これは、ＷＴＲＵのホワイトリストを取り込むために、ＯＭＡ（Open Mobile Alliance）プロトコルの一例であり、具体的な実施態様は、ネットワーク固有である。一般に、ネットワークは、ＷＴＲＵ固有の情報をＵＳＩＭ上に置くことができ、ＮＡＳはＵＳＩＭから情報を読み取り、ＮＡＳはさらに情報を処理する。
【００２０】
ネットワークがＣＳＧセルをパブリックＣＳＧセルとして設定する場合、ＷＴＲＵは、そのＣＳＧセルをホワイトリスト内に有する必要はない。ネットワークはＣＳＧセルがパブリックＣＳＧセルであると認識しているので、ＷＴＲＵは、ＣＳＧセルにアクセスすることができる。
【００２１】
ＣＳＧセルの優先順位スキーム
ネットワークは、ＣＳＧセル周波数の優先順位をＷＴＲＵに信号で通知する。ＷＴＲＵは、最高の優先順位周波数を持つＣＳＧセルにキャンプオン（camp on）することができる。周波数の優先順位に基づき、ＷＴＲＵは、周波数を検索するべき順序を認識する。２つの異なるＣＳＧセルを同じ優先順位に割り当てることができる。この場合、ＷＴＲＵは、ＣＳＧセルの１つより高い優先順位を黙示的に割り当てることができる。
【００２２】
すべてのＣＳＧセルが単一の周波数（ＣＳＧ周波数としても知られる）に配置される場合、マクロセル（つまり、非ＣＳＧセル）は、ブロードキャストまたは専用シグナリングによりＣＳＧ周波数の優先順位を信号で通知することができる。マクロセルは、その周波数を、ＣＳＧセル専用の周波数として識別することができる。複数のＣＳＧ周波数が存在してもよい。
【００２３】
ＣＳＧホワイトリストに構成されたエントリを持たないＷＴＲＵは、ＣＳＧ周波数の信号通知された優先順位を無視することができ、その周波数のどのセルにも測定、セル選択またはセル再選択を開始しようと試みることはない。しかし、ＣＳＧセルが、周囲のマクロセルと同じ周波数に配置される場合、そのような周波数はＣＳＧ周波数としてマーク付けが行われないことがある。
【００２４】
あるいは、ＷＴＲＵは、ＷＴＲＵがアクセスしたＣＳＧセルの周波数で事前に構成することができ、マクロセルは、実際の周波数を指示することなく、専用またはブロードキャストシグナリングによりＣＳＧ周波数の優先順位を指示することができる。ホワイトリストでＣＳＧセルおよび関連する周波数が構成されているＷＴＲＵは、信号通知された優先順位をそれらの周波数に適用する。
【００２５】
あるいは、ＣＳＧセルの周波数の優先順位スキームは、ＷＴＲＵで事前に構成することができる。優先順位スキームの構成は、無線リソース制御（ＲＲＣ）／ＮＡＳシグナリングを介するか、または上位レイヤのシグナリングを介して（たとえば、ＳＭＳ、ＯＭＡデバイス構成など）送信されてよい。１つの実施形態において、周波数の構成は、ＷＴＲＵにおいてＣＳＧホワイトリストを構成するメッセージの一部とすることができる。
【００２６】
さらに、ＣＳＧセルのセル固有の優先順位が提案される。ホワイトリストで構成されたＣＳＧセルは、マクロセルよりも高い優先順位を有することができる。個々のＣＳＧセル同士に対する優先順位は、それらのグループ割り当て（下記で説明する）に基づくか、またはそれらがパブリックＣＳＧセルであると判定されているので、ユーザによって手動で入力されたホワイトリスト上のそれらの位置により、それらのブロードキャストシグナリングを介して決定することができる。ＣＳＧセルの優先順位は、ＣＳＧセル間のセル再選択の結果を決定するために使用することができる。あるいは、セル再選択がＣＳＧセルとマクロセルとの間で検討される場合、マクロセルは、優先順位がマクロセルで具体的にマーク付けされていない限り、デフォルトで最低の優先順位を有するものと仮定することができる。
【００２７】
図３は、ＷＴＲＵによりＣＳＧセルをグループ化するための例示の方法３００を示すフローチャートである。ＷＴＲＵは、ＷＴＲＵが通信できる各周波数に関する優先順位情報を受信し（ステップ３０２）、優先順位情報を格納する（ステップ３０４）。ＷＴＲＵは、上記で説明したように、別のアクションを行うことに関連して優先順位情報を適用する（ステップ３０６）。次いで方法は終了する（ステップ３０８）。
【００２８】
ＣＳＧセルのグループ化
ＣＳＧセルは、自宅、オフィス、ショッピングモールなど、ＣＳＧセルを使用する目的に基づいてグループ化することができる。各グループは、識別子（ＩＤ）により区別される。グループ化は、グループのタイプを容易に識別するために行われる。ＷＴＲＵは、（たとえば）ＣＳＧセル識別子の先頭の数ビットを読み取ることにより、ＣＳＧセルがＷＴＲＵの検索しているＣＳＧセルのタイプであるかどうかを決定することができる。ＣＳＧセルにサブスクライブされているＷＴＲＵは、そのホワイトリスト内の特定のＣＳＧセルにのみアクセスすることができ、同じグループ内の他のＣＳＧセルには、それらのＣＳＧセルもホワイトリスト内にある場合を除いてはアクセスすることができない。
【００２９】
１つの実施形態において、グループＩＤが最初、セルＩＤが二番目となるように、グループＩＤはＣＳＧ  ＩＤの先頭に配置される。このようにＣＳＧ  ＩＤを配置することにより、ＷＴＲＵは、ＣＳＧセルの使用が許容されるかどうかを決定するために、グループＩＤの部分だけを読み取ることができる。
【００３０】
ＷＴＲＵは、ＣＳＧセルを検出すると、そのグループＩＤを読み取って、このＣＳＧセルがそのホワイトリストで構成されているグループＩＤと同じグループＩＤを有するかどうかを決定することができる。検出されたＣＳＧセルが、ホワイトリスト内のＣＳＧセルのグループＩＤと一致するグループＩＤを有する場合、ＷＴＲＵは、引き続きＳＩＢを取得して上位レイヤのＣＳＧ  ＩＤ（たとえば、ＣＳＧ  ＴＡ  ＩＤ）を検査する。この手順は、検出されたセルのＰＣＩＤまたは周波数を、ホワイトリスト内で構成されているＣＳＧセルのＰＣＩＤまたは周波数と照合することの代替として、またはこれに加えて行うようにしてよい。
【００３１】
グループＩＤは、ＣＳＧホワイトリスト構成の一部としてＷＴＲＵで構成することが可能である。グループＩＤは、ＣＳＧ  ＩＤ（たとえば、ＣＳＧトラッキングエリア（ＴＡ）ＩＤ）よりも小さくすることができる。グループＩＤは、物理チャネル、管理情報ベース（ＭＩＢ）、任意のＳＩＢ、または急速に変化するＳＩＢで信号通知することができる。グループＩＤは、ある予約済み物理レイヤのセルＩＤ（ＰＣＩＤ）とすることができる。パブリックＣＳＧセルは、異なるグループ内に存在し、プライベートＣＳＧセルとは異なるグループを有するようにしてもよい。
【００３２】
さらに、ＷＴＲＵがＨｅＮＢセルのあるグループにキャンプオンするのを防ぐのではなく、ＷＴＲＵは、ＨｅＮＢグループの優先順位の順序が与えられて、ＷＴＲＵがその順序に従ってＨｅＮＢグループからセルにトライして選択することができる。
【００３３】
ＳＩＢ１のｅＮＢ  ＩＤおよびセルＩＤの既存のスペースは、ＣＳＧの使用に合わせて再設定することができる。現在、ｅＮＢ  ＩＤに２０ビットが割り当てられ、セルＩＤに８ビットが割り当てられている。セルが（たとえば、ＳＩＢ１で１ビットのＣＳＧインジケータ、または、ＣＳＧセルに予約済みＰＣＩＤを使用することにより決定された）ＣＳＧセルである場合、２０ビット以上がＨｅＮＢを識別するために使用され、８ビット以下がそのＨｅＮＢのＣＳＧセルを識別するために使用され得る。使用される合計のビット数は、２８ビットまたは２８ビットをわずかに上回る数（セルがＣＳＧセルである場合のときだけ含まれるオプションのビット）にとどまる。ＣＳＧ  ＩＤは、ＨｅＮＢ  ＩＤとセルＩＤを加えたものとすることができる。
【００３４】
あるいは、一部のビットまたは一部の指示は、ＨｅＮＢ  ＩＤおよびセルＩＤフィールドのサイズをＷＴＲＵに知らせることができる。たとえば、ＨｅＮＢおよびセルＩＤのサイズのために事前に定義された構成をインジケータ上の特定のコードポイント値にマップするクラス指示を使用することが可能である。一例として、それぞれＨｅＮＢ  ＩＤおよびセルＩＤの異なるサイズを持つ４つのクラスが存在する。ＳＩＢ１の２ビットは、ＷＴＲＵが２ビットを読み取るときに、何ビットがＨｅＮＢ  ＩＤで、何ビットがセルＩＤであるか分かるように、特定のクラスを指示するために使用することができる。
【００３５】
ＣＳＧセルがサービス提供の対象とする特定の閉域ユーザグループを識別する別個のＣＳＧ  ＩＤが定義される。このＣＳＧ  ＩＤは、ＨｅＮＢ  ＩＤおよびセルＩＤとは異なっていてよく、ＷＴＲＵのホワイトリストに実際にプログラムされるＩＤとし得る。このＣＳＧ  ＩＤは、少なくとも２７ビットの長さでよいし、ＣＳＧセルによってブロードキャストされてよいし、ＳＩＢ１またはＳＩＢ９内に存在してもよい。
【００３６】
ＣＳＧセルのセル再選択パラメータ
ＣＳＧセルは、セルがパブリックＣＳＧセルまたはプライベートＣＳＧセルのいずれであるかの指示（たとえば、１ビット）をブロードキャストチャネルで伝送することができる。この指示はオプションとすることが可能であるし、または、ＣＳＧセルがパブリックまたはプライベートである場合に限り使用することが可能である。このインジケータがなく、ＣＳＧインジケータがｔｒｕｅに設定されている場合、ＷＴＲＵは、当該ＣＳＧセルがパブリックまたはプライベートのいずれかであると自動的に仮定することができる。
【００３７】
以下に、ＣＳＧセル再選択および指示に使用され得るパラメータ、たとえば、いつＣＳＧセルに再選択するか、いつマクロセルに再選択するか、および、いつ測定を行うかのリストを示す。たとえば、パラメータは、ＣＳＧセルの信号強度が検査されていることを示すことができ、それが再選択基準を満たし、かつＷＴＲＵのホワイトリストで構成されている場合に、ＷＴＲＵはそのＣＳＧセルに再選択することができる。
【００３８】
（１）ＣＳＧセルの場合、パラメータＱrxlevminは、マクロＨｅＮＢセルの場合とは異
なる。
【００３９】
（２）ＳCSGsearchと呼ばれる新しいセル選択パラメータ。Ｓservingcell＞ＳCSGsearchである場合、ＷＴＲＵは、ＣＳＧセルを自律的には検索しないことがある。それでも、ユーザがＷＴＲＵに検索するよう手動で指示する場合、ＷＴＲＵはＣＳＧセルを検索することができる。パラメータＳCSGsearchは、Ｓintrasearchより大きくてもよい、および／または、Ｓintersearchより大きくてもよい。ＷＴＲＵは、このスキームを手動検索にのみ適用することができるが、自律検索には適用することはできない。パラメータＳCSGsearchは、自律検索と手動検索の場合で異なるようにしてよい。
【００４０】
（３）ＳCSGsearchneighと呼ばれる新しいセル選択パラメータ。ＳnonservingCSGcell＞ＳCSGsearchneighである場合、ＷＴＲＵは、その非サービス提供ＣＳＧセルを測定して、それを再選択プロセスの一部として含めることができる。
【００４１】
（４）ＴｈｒｅｓｈCSG、highと呼ばれる新しいパラメータ。ＷＴＲＵがマクロセルからＣＳＧセルに移動しており、ＳnonservingCSGcell＞ＴｈｒｅｓｈCSG、highである場合、ＷＴＲＵは、ＣＳＧセルがそのホワイトリストで構成されているか、または別の方法でアクセス可能である（たとえば、パブリックＣＳＧセル）という条件で、ＣＳＧセルに再選択することができる。
【００４２】
（５）ＷＴＲＵが１つのＣＳＧセルから別のＣＳＧセルに移動している場合、上記の条件（ＳnonservingCSGcell＞ＴｈｒｅｓｈCSG、high）は、近隣のＣＳＧセルがより高い優先順位の周波数にあるか、より高い優先順位のグループにあるか、または（たとえば、ホワイトリスト上のその位置を使用して決定された）より高い優先順位である場合に限り適用することができる。あるいは、ＷＴＲＵは、両方のセルの測定された信号が最少信号要件を上回るならば、信号強度に関わらず、（たとえば、ホワイトリストの位置により）より高い優先順位のＣＳＧセルに再選択する。
【００４３】
（６）ＴCSGreselectionと呼ばれる新しいパラメータ。ＷＴＲＵがマクロセルからＣＳＧセルに移動しており、時間ＴCSGreselectionに対してＳnonservingCSGcell＞ＴｈｒｅｓｈCSG、highである場合、ＷＴＲＵは、ＣＳＧセルがそのホワイトリストで構成されているか、または別の方法でアクセス可能である（たとえば、パブリックＣＳＧセル）という条件で、ＣＳＧセルに再選択することができる。
【００４４】
（７）ＷＴＲＵが１つのＣＳＧセルから別のＣＳＧセルに移動している場合、上記の条件（時間ＴCSGreselectionに対してＳnonservingCSGcell＞ＴｈｒｅｓｈCSG、high）は、近隣のＣＳＧセルがより高い優先順位の周波数またはより高い優先順位のグループにある場合に限り適用することができる。
【００４５】
（８）ＷＴＲＵがマクロセルからＣＳＧセルに移動しており、ＳnonservingCSGcell＞０である場合、ＷＴＲＵは、ＣＳＧセルがそのホワイトリストで構成されているか、または別の方法でアクセス可能である（たとえば、パブリックＣＳＧセル）という条件で、ＣＳＧセルに再選択することができる。
【００４６】
（９）ＷＴＲＵが１つのＣＳＧセルから別のＣＳＧセルに移動しており、ＳnonservingCSGcell＞０で、かつ、ＳservingCSGcell＜ＳCSGsearchまたはＳservingCSGcell＜０である場合、ＷＴＲＵは、ＣＳＧセルがそのホワイトリストで構成されているか、または別の方法でアクセス可能である（たとえば、パブリックＣＳＧセル）という条件で、ＣＳＧセルに再選択することができる。
【００４７】
（１０）ＷＴＲＵがマクロセルからＣＳＧセルに移動しており、時間ＴCSGreselectionに対してＳnonservingCSGcell＞０である場合、ＷＴＲＵは、ＣＳＧセルがそのホワイトリストで構成されているか、または別の方法でアクセス可能である（たとえば、パブリックＣＳＧセル）という条件で、ＣＳＧセルに再選択することができる。
【００４８】
（１１）ＷＴＲＵが１つのＣＳＧセルから別のＣＳＧセルに移動しており、時間ＴCSGr
eselectionに対してＳnonservingCSGcell＞０で、かつ、ＳservingCSGcell＜ＳCSGsearch
またはＳservingCSGcell＜０である場合、ＷＴＲＵは、ＣＳＧセルがそのホワイトリストで構成されているか、または別の方法でアクセス可能である（たとえば、パブリックＣＳＧセル）という条件で、ＣＳＧセルに再選択することができる。
【００４９】
（１２）パラメータＳservingcell、ＳnonservingCSGcellおよびＳservingCSGcellは、Ｓ基準パラメータであり、マクロセルの場合と同様の態様でまたは任意の他の式の使用により計算することができる。
【００５０】
（１３）ＱoffsetCSGと呼ばれる新しいパラメータは、マクロセルによって信号伝送され、それらをランク付けするためにＣＳＧセルに適用することができる。
【００５１】
（１４）ＱhystCSGと呼ばれる新しいパラメータは、マクロセルによって信号伝送され、現在のサービングマクロセルに適用することができる。
【００５２】
（１５）ＱhystCSGservingと呼ばれる新しいパラメータは、現在のＣＳＧセルによって信号伝送され、ＷＴＲＵが１つのＣＳＧセルから別のＣＳＧセルに移動しているか、またはＣＳＧセルからマクロセルに移動している場合に、現在のサービングＣＳＧセルに適用することができる。
【００５３】
（１６）自律的ＣＳＧセルの検索アルゴリズムは、ＷＴＲＵのアクセス可能なＣＳＧセルが近隣にあり検索するべきであると決定する場合、それらの測定は、サービングマクロセルのＳ値に関わらず行われる。
【００５４】
（１７）（ホワイトリスト内の、または手動で選択された）ＣＳＧセルが周波数でベストセル（best cell）ではない場合、ＷＴＲＵは、次のうちの少なくとも１つを満たせば、引き続きこのセルを再選択することができる。
【００５５】
（ａ）ＣＳＧセルは何らかの最小信号基準（たとえば、ＳnonservingCSGcell＞ＴｈｒｅｓｈCSG、high）を満たす。
【００５６】
（ｂ）使用可能なより高い優先順位の他のセル（たとえば、より高い優先順位のＣＳＧセル）がない。
【００５７】
（ｃ）サービングセル（マクロセルまたはＣＳＧセル）は、あるしきい値を上回る（たとえば、Ｓservingcell＜Ｓtolerateinterference）。このしきい値は、サービングセルがマクロセルまたはＣＳＧセルであるかどうかにより、異なっていてもよい。
【００５８】
（ｄ）ＣＳＧセルは、サービングセルのあるオフセット内である。
【００５９】
（ｅ）ＣＳＧセルは、測定に基づいてより高いランク付けがされている他のセルのあるオフセット内である。
【００６０】
（ｆ）ＣＳＧセルは、少なくとも、サービングセルよりも低いあるオフセットである。
【００６１】
（ｇ）ＣＳＧセルは、少なくとも、測定に基づいてより高いランク付けがされている他のセルよりも低いあるオフセットである。
【００６２】
通常、ＷＴＲＵが周波数間の測定を行って満足できる複数のセルを検出した場合、ＷＴＲＵはそのセルをランク付けして、ベストセルにキャンプオンする。ＷＴＲＵは、ＣＳＧ周波数であることが既知の周波数の測定を行って複数のＣＳＧセルを検出した場合、ＷＴＲＵは、少なくとも次のうちの１つを行う。
【００６３】
（１）周波数情報がＣＳＧホワイトリスト内のエントリと一致しないセル、または別の方法でアクセス可能なＣＳＧセル（たとえば、パブリックＣＳＧセル）を無視する。周波数情報は、帯域、中心周波数とすることができる。
【００６４】
（２）ＰＣＩＤがＣＳＧホワイトリスト内のエントリと一致しないセル、または別の方法でアクセス可能なＣＳＧセル（たとえば、パブリックＣＳＧセル）を無視する。
【００６５】
（３）グループＩＤがＣＳＧホワイトリスト内のエントリと一致しないセル、または別の方法でアクセス可能なＣＳＧセル（たとえば、パブリックＣＳＧセル）を無視する。
【００６６】
（４）セルをランク付けする。
【００６７】
（５）最高ランクのセルに再選択してキャンプオンする。
【００６８】
図４は、ＷＴＲＵにより複数のＣＳＧセルを処理するための例示の方法４００を示すフローチャートである。ＷＴＲＵは、ＣＳＧ周波数の測定を行い（ステップ４０２）、複数のＣＳＧセルを検出する（ステップ４０４）。ＷＴＲＵは、さらに評価するために、検出されたＣＳＧセルのうちの１つを選択する（ステップ４０６）。
【００６９】
選択されたＣＳＧセルがＷＴＲＵのホワイトリスト内にあるかどうかの決定が行われる（ステップ４０８）。選択されたＣＳＧセルがＷＴＲＵのホワイトリスト内にある場合、選択されたＣＳＧセルは、セル再選択基準について評価される（ステップ４１０）。上記セル再選択基準を満たす場合（ステップ４１２）、ＷＴＲＵは選択されたＣＳＧセルに再選択し（ステップ４１４）、方法は終了する（ステップ４１６）。
【００７０】
上記セル再選択基準を満たさない場合（ステップ４１２）、検出されたＣＳＧセルのすべてが評価されているかどうかの決定が行われる（ステップ４２０）。検出されたＣＳＧセルのすべてが評価されている場合は、方法は終了する（ステップ４１６）。検出されたＣＳＧセルのすべてが評価されていない場合（ステップ４２０）、次にＷＴＲＵは、検出された別のＣＳＧセルを選択し（ステップ４２２）、上記で説明したステップ４０８から始めて、このＣＳＧセルが評価される。
【００７１】
選択されたＣＳＧセルがＷＴＲＵのホワイトリスト内にない場合（ステップ４０８）、選択されたＣＳＧセルが別の方法でアクセス可能かどうか（つまり、当該ＣＳＧセルがパブリックＣＳＧセルであるかどうか）の決定が行われる（ステップ４３０）。選択されたＣＳＧセルが別の方法でアクセスができない場合、上記で説明したように、選択されたＣＳＧセルは引き続きセル再選択基準で評価される（ステップ４１０）。選択されたＣＳＧセルが別の方法でアクセス可能である場合（ステップ４３０）、選択されたＣＳＧセルは無視される（ステップ４３２）。次に、検出されたＣＳＧセルのすべてが評価されているかどうかについて決定が行われる（ステップ４２０）。検出されたＣＳＧセルのすべてが評価されている場合は、方法は終了する（ステップ４１６）。検出されたＣＳＧセルのすべてが評価されていない場合（ステップ４２０）、ＷＴＲＵは、検出された別のＣＳＧセルを選択し（ステップ４２２）、上記で説明したステップ４０８から始めて、このＣＳＧセルが評価される。
【００７２】
（６）上記検索が、ユーザからの手動の検索要求によりトリガされた場合、検出されたセルをユーザに提供する。ＷＴＲＵは、ＰＣＩＤ、周波数情報もしくはグループＩＤがＣＳＧホワイトリスト内のエントリと一致するＣＳＧセル、または、別の方法でアクセス可能であるＣＳＧセル（たとえば、パブリックＣＳＧセル）だけをユーザに提供することができる。ユーザへの通知は、それらのセルが、ユーザのアクセス可能な正しいＣＳＧセルであるか、または別の方法でアクセス可能なＣＳＧセル（たとえば、パブリックＣＳＧセル）である可能性が高いことを示すことができる。ＷＴＲＵは、ユーザ入力を受信した場合にのみ、特定のＣＳＧセルのＳＩＢを取得することができる。ＷＴＲＵは、コマンドを受信してＳＩＢを取得するようにユーザに表示することができる。あるいは、検出されたすべてのＣＳＧセルは、ユーザに提供するようにしてよい。
【００７３】
図５は、ＷＴＲＵにより複数のＣＳＧセルを処理するための第２の例示の方法５００を示すフローチャートである。ＷＴＲＵは、ユーザから、手動の検索要求を受信する（ステップ５０２）。ＷＴＲＵは、手動の検索要求で指示されたＣＳＧ周波数の測定を行う（ステップ５０４）。ＷＴＲＵは、複数のＣＳＧセルを検出し（ステップ５０６）、さらに評価するために、検出されたＣＳＧセルのうちの１つを選択する（ステップ５０８）。
【００７４】
選択されたＣＳＧセルがＷＴＲＵによりアクセスできるかどうかの決定が行われる（ステップ５１０）。選択されたＣＳＧセルがＷＴＲＵによりアクセスできる場合、選択されたＣＳＧセルは、ＷＴＲＵのユーザに提供される（ステップ５１２）。次に、検出されたＣＳＧセルのすべてが評価されているかどうかの決定が行われる（ステップ５１４）。検出されたＣＳＧセルのすべてが評価されている場合は、方法は終了する（ステップ５１６）。検出されたＣＳＧセルのすべてが評価されていない場合（ステップ５１４）、ＷＴＲＵは、検出された別のＣＳＧセルを選択し（ステップ５１８）、上記で説明したステップ５１０から始めて、このＣＳＧセルが評価される。
【００７５】
選択されたＣＳＧセルがＷＴＲＵによりアクセスできない場合（ステップ５１０）、検出されたＣＳＧセルのすべてが評価されているかどうかの決定が行われる（ステップ５１４）。検出されたＣＳＧセルのすべてが評価されている場合は、方法は終了する（ステップ５１６）。検出されたＣＳＧセルのすべてが評価されていない場合（ステップ５１４）、ＷＴＲＵは、検出された別のＣＳＧセルを選択し（ステップ５１８）、上記で説明したステップ５１０から始めて、このＣＳＧセルが評価される。
【００７６】
（７）キャンプされたセルのＳＩＢを取得して、上位レイヤＩＤ（たとえば、ＣＳＧ  ＴＡ  ＩＤなどのＣＳＧ  ＩＤ）がＣＳＧホワイトリストに格納されているエントリと一致するかどうか検査する。
【００７７】
（８）上位レイヤＩＤ（たとえば、ＣＳＧ  ＴＡ  ＩＤなどのＣＳＧ  ＩＤ）が、ＣＳＧホワイトリストに格納されているエントリと一致しないか、または別の方法でアクセス可能なＣＳＧセル（たとえば、パブリックＣＳＧセル）のものである場合、ＷＴＲＵは、ＨｅＮＢセルがセル再選択に適していなかった（たとえば、ＨｅＮＢセルが除外されるかまたは別のオペレータに属することができた）ことを認識し、ＷＴＲＵは、次のうちの少なくとも１つを任意の順序で行うことができる。
【００７８】
（ａ）マクロセルへのキャンプオンに戻る。
【００７９】
（ｂ）マクロセルがあるしきい値を上回る場合に限り、マクロセルへのキャンプオンに戻る。
【００８０】
（ｃ）セル再選択手順を開始する。
【００８１】
（ｄ）キャンプして、次のベストＣＳＧセルのＳＩＢを取得する。
【００８２】
（ｅ）再選択が手動の選択により開始された場合に限り、キャンプして、次のベストＣＳＧセルのＳＩＢを取得する。
【００８３】
（ｆ）ＳＩＢの取得または再選択がユーザからの手動の入力によりトリガされた場合、ＷＴＲＵはＣＳＧセルへの再選択の失敗をユーザに通知する。ＷＴＲＵは、再選択または別の可能な候補ＣＳＧセル（つまり、ＰＣＩＤ、グループＩＤ、または、ホワイトリスト内のエントリと一致する周波数情報もしくは別の方法でアクセス可能なＣＳＧセル（たとえば、パブリックＣＳＧセル））のＳＩＢの取得を開始するかどうか、または、マクロセルもしくは前回キャンプしたセルに戻るかどうかをユーザに尋ねることができる。ユーザが次の可能な候補ＣＳＧセルに再選択することを指示する場合、ＷＴＲＵは再度、上記で説明したＳＩＢの取得などを開始する。
【００８４】
図６は、ＷＴＲＵにより複数のＣＳＧセルを処理するための第３の例示の方法６００のフローチャートである。ＷＴＲＵは、ＣＳＧ周波数の測定を行う（ステップ６０２）。ＷＴＲＵは、複数のＣＳＧセルを検出し（ステップ６０４）、さらに評価するために、検出されたＣＳＧセルのうちの１つを選択する（ステップ６０６）。
【００８５】
選択されたＣＳＧセルのＩＤがＷＴＲＵのホワイトリスト内にあるかどうかの決定が行われる（ステップ６０８）。選択されたＣＳＧセルがＷＴＲＵのホワイトリスト内にない場合、ＷＴＲＵは、上記の項目（ａ）から（ｆ）のいずれかを使用して、選択されたＣＳＧセルから検出された別のＣＳＧセルに切り替える（ステップ６１０）。
【００８６】
選択されたＣＳＧセルのＩＤがＷＴＲＵのホワイトリスト内にある場合（ステップ６０８）、選択されたＣＳＧセルは、セル再選択基準について評価される（ステップ６１２）。セル再選択基準が満たされる場合、ＷＴＲＵは選択されたＣＳＧセルに再選択し（ステップ６１６）、方法は終了する（ステップ６１８）。セル再選択基準が満たされない場合（ステップ６１４）、ＷＴＲＵは、検出された別のＣＳＧセルを選択して評価し（ステップ６２０）、上記で説明したステップ６０８から始めて、このＣＳＧセルが評価される。
【００８７】
（９）上位レイヤＩＤ（たとえば、ＣＳＧ  ＴＡ  ＩＤなどのＣＳＧ  ＩＤ）がＣＳＧホワイトリストに格納されているエントリと一致するか、または別の方法でアクセス可能なＣＳＧセル（たとえば、パブリックＣＳＧセル）のものである場合、ＷＴＲＵは、ユーザに正常な再選択を通知することができる。
【００８８】
ＣＳＧセルのＰＣＩＤは、ユーザによって、またはオペレータの支援により再構成することが可能である。この構成は、たとえば、ユーザの再構成決定に基づくことができる。たとえば、ユーザが、正しいセルにキャンプオンする前に多数のセルを手動で選択する必要があると感じている場合、ユーザは、新しいＰＣＩＤを選ぶためにＨｅＮＢを構成することができる。ＨｅＮＢは、ＰＣＩＤの予約済みセットから新しいＰＣＩＤを選択して、選択したＰＣＩＤまたは周波数情報を（たとえば、ディスプレイを介して）ユーザに通知することができる。ユーザはまた、そのホワイトリストのＣＳＧセルによって使用されるＰＣＩＤまたは周波数を手動で構成することもできる。
【００８９】
ユーザによる手動の検索または選択は、より効率的にするために、自律検索からのあるパラメータを使用することができる。たとえば、ユーザが手動検索を開始して、自律検索の構成がちょうど完了したところ（時間Ｔ以内）であるか、または自律検索の構成が、付近にＣＳＧセルがあってはならないことを（たとえば、近隣セルの構成を使用して、またはブロードキャスト情報を使用して）指示する場合、ユーザは、適切な通知を受けて、検索パラメータを再確認するよう求められ得る。手動検索は、（たとえば、ホワイトリスト内にないか、または何らかの無線関連の基準を満たすＣＳＧセルであっても）すべての使用可能なＣＳＧセルをユーザに提供するようＷＴＲＵに命令することができる。ユーザは、ホワイトリストのＣＳＧセルの優先順位を手動で設定または編集することが可能である。ＣＳＧセルの優先順位は、相互に関するものであっても、またはマクロセルに関するものでもよい、つまり、あるＣＳＧセルがマクロセルよりも低い優先順位でもよい。
【００９０】
さらに、ＣＳＧセルの手動の選択は、セル選択または再選択の地上波公共移動通信ネットワーク（ＰＬＭＮ：public land mobile Network）基準をオーバーライドすることが可能である。たとえば、ＰＬＭＮが禁止ＰＬＭＮに属しているため除外されるＣＳＧセルは、ユーザに選択するよう命令される場合、またはそのＣＳＧセルのＣＳＧ  ＩＤがホワイトリストにある場合は、たとえ他の適切なセルが存在するとしても、セル選択または再選択中にＷＴＲＵによって選択することができる。さらに、ＷＴＲＵが、特定のＰＬＭＮに属するＣＳＧセルにキャンプオンされる場合、この期間中ＷＴＲＵは、より高い優先順位のＰＬＭＮの検索またはバックグラウンドＰＬＭＮの検索を使用不可にすることができる。この手順（より高い優先順位またはバックグラウンドＰＬＭＮのスキャンを使用不可にする）は、次の場合のうちの少なくとも１つに適用することができる。
【００９１】
（１）ＷＴＲＵは、手動で選択されたＣＳＧセルにキャンプオンされる。
【００９２】
（２）ＷＴＲＵは、そのホワイトリストにあるＣＳＧセルにキャンプオンされる。
【００９３】
（３）ＷＴＲＵは、高い優先順位のＣＳＧセルにキャンプオンされる。ＣＳＧセルの優先順位は、ＣＳＧセルのブロードキャストチャネルで指示されるか、またはＷＴＲＵで（たとえば、ＲＲＣ／ＮＡＳシグナリングを使用してホワイトリストで、手動で入力されて、またはＯＭＡデバイス管理などの他の技術を通じて）構成することができる。
【００９４】
ＷＴＲＵが、ネットワークにより除外されるセル（つまりＷＴＲＵがそのセルにキャンプオンできない）に再選択を試みると、ネットワークは周波数内再選択インジケータをｆａｌｓｅに設定する。このインジケータを設定することは、セルが除外されている場合、ＷＴＲＵは、同じ周波数で他の任意のセルにキャンプオンすることができず、別の周波数に移行する必要があるということである。このビットは、ＵＴＲＡＮシステムで使用され、マクロセルでブロードキャストされた。ビットが設定されていた場合、周波数内のセル再選択が許可された。ＣＳＧセルは、周波数内セル再選択を拒否するために、この指示を使用しないこともある。たとえＣＳＧセルが、周波数内のセル再選択は許可されないことを指示する場合であっても、ＣＳＧセルがホワイトリスト内にあるかもしくは別の方法でアクセス可能であり（たとえば、パブリックＣＳＧセル）、および／または、任意の他の基準（たとえば、上記で定義される無線基準）を満たしていれば、ＷＴＲＵは、ＣＳＧセルを検索し、測定しかつそれに再選択することができる。言い換えれば、ＷＴＲＵは、周波数内再選択インジケータを無視することができる。
【００９５】
同様に、ＣＳＧセルは、このインジケータをｆａｌｓｅに設定することができる。しかし、ＷＴＲＵは、この設定をオーバーライドして、引き続き同じ周波数で他のセルを検索することができる。
【００９６】
図７は、ＷＴＲＵによりＣＳＧセル間で再選択するための例示の方法７００を示すフローチャートである。ＷＴＲＵは、ＣＳＧセルにキャンプオンし（ステップ７０２）、周波数内再選択インジケータを検査する（ステップ７０４）。ＷＴＲＵは、（たとえｆａｌｓｅに設定されていても）インジケータを無視することができ、同じ周波数でＣＳＧセルおよびマクロセルを検索することができる（ステップ７０６）。次いで、方法は終了する（ステップ７０８）。
【００９７】
手動選択の一環として、ＷＴＲＵアクセス階層（ＡＳ）は、何らかの無線関連の基準に基づいてＮＡＳに提供する検出済みのＣＳＧセルをフィルタリングすることができる。一例として、ＷＴＲＵは、あるしきい値と等しいかまたはこれを超えるＣＳＧセルだけをＮＡＳに提供することができる。あるいは、ＷＴＲＵは、あるしきい値を下回る検出済みのＣＳＧセルだけをＮＡＳに提供することができる。
【００９８】
図８は、ＷＴＲＵによる手動のＣＳＧセル選択のための例示の方法８００を示すフローチャートである。ＷＴＲＵは、ＣＳＧ周波数の測定を行う（ステップ８０２）。ＷＴＲＵは、複数のＣＳＧセルを検出し（ステップ８０４）、検出されたＣＳＧセルを無線関連の基準に基づいてフィルタリングする（ステップ８０６）。フィルタリングされたセルは、さらに評価するためにＮＡＳに提供され（ステップ８０８）、方法は終了する（ステップ８１０）。
【００９９】
ユーザが手動でセルを選択すると、ＷＴＲＵは、所定の期間にわたり、セルからの再選択を開始できないことがある。この時間は、Ｓ基準が評価される通常のＴreselctionより長くてもよい。あるいは、ＷＴＲＵは、再選択を即座に開始することができる。ＷＴＲＵは、ＣＳＧセルによってブロードキャストされるパラメータとは異なる再選択パラメータを手動で選択されたＣＳＧセルに適用することができるか、または何らかの値によりブロードキャスト済みの再選択パラメータを増減することができる。
【０１００】
アイドルモードの測定および手順
ＷＴＲＵは、間欠受信（ＤＲＸ）の測定ギャップを使用することができる。信号強度がしきい値よりも大きく、ＷＴＲＵが入ろうとするＣＳＧセルの付近にあることをＷＴＲＵが認識する場合、ＷＴＲＵは、ネットワークによって提供されたＤＲＸギャップをオーバーライドし、必要な測定を行うためにＤＲＸの測定ギャップを使用することができる。ＷＴＲＵは、ＧＰＳロケーションを使用して、そのホームＣＳＧセルに近接しているかどうかを確認することができる。ＷＴＲＵがそのホームＣＳＧセルに接近すると（たとえば、フットプリント領域内）、ＷＴＲＵはホームＣＳＧセルの検索を開始することができる。以下に、この検索が基準にすることができるしきい値を示す。
【０１０１】
（１）アイドルモードにおいて、ＷＴＲＵがマクロセルにキャンプオンされ、周波数内測定を行うようＷＴＲＵに要求する自律型ＣＳＧ検索（たとえば、フットプリントを使用）または手動ＣＳＧ検索のいずれかがトリガされる場合、たとえＳservingcell＞Ｓintrasearchであっても、ＷＴＲＵは要求された測定を行い、適切なギャップ（たとえば、ＤＲＸサイクルのアイドルタイム）を使用してＣＳＧセルを検索する。トリガされた自律型ＣＳＧ検索または手動ＣＳＧ検索が、周波数内測定を行うようＷＴＲＵに要求する場合、たとえＳservingcell＞Ｓintersearchであっても、ＷＴＲＵは要求された測定を行い、適切なギャップ（たとえば、ＤＲＸサイクル）を使用してＣＳＧセルを検索する。
【０１０２】
（２）ＷＴＲＵは、測定および／またはＣＳＧセルの検索を行わない。
【０１０３】
（３）使用される方法は、周波数のタイプに応じて異なり得る。たとえば、周波数内の場合にＷＴＲＵは検索を行うが、周波数間の場合にはＷＴＲＵは検索を行わない、またはその逆の場合もある。
【０１０４】
（４）使用される方法は、検索のタイプに応じて異なり得る。たとえば、自律型検索の場合、Ｓservingcell＞Ｓintrasearchであれば、ＷＴＲＵは周波数内を測定せず、Ｓservingcell＞Ｓintersearchであれば周波数間を測定しない。手動検索の場合、Ｓservingcell＞Ｓintrasearchであれば、ＷＴＲＵは周波数内測定を開始し、Ｓservingcell＞Ｓintersearchであれば周波数間測定を開始するか、またはその逆の場合もある。
【０１０５】
（５）手動検索がユーザによって要求され、何らかの理由で（たとえば、Ｓservingcell＞ＳintrasearchまたはＳservingcell＞Ｓintersearchであるため）ＷＴＲＵが検索を実行しない場合、ユーザには、検索が実行されないことが、オプションで原因値と共に通知されてもよい。
【０１０６】
上記の概念は、自律型ＣＳＧ検索または手動ＣＳＧ検索がアクティブモードでトリガされる場合、ＳmeasがＳintrasearchおよびＳintersearchに代わることが異なるが、アクティブモードにおいても適用することが可能である。
【０１０７】
最高ランクのセルが、ＷＴＲＵのＣＳＧホワイトリストに属していないために適切ではないＣＳＧセルである場合、ＷＴＲＵがＴＳ３６．３０４の第５．２．８項に定義される任意のセル選択状態においてそのセルを考慮するものとする場合を除き、ＷＴＲＵは、ＴＳ３６．３０４の第５．３．１項に定義されるように、そのセルを「除外された」として扱うものとする。
【０１０８】
最高ランクのセルが、ＷＴＲＵのＣＳＧホワイトリストに属していないために適切ではないプライベートＣＳＧセルである場合、ＷＴＲＵがＴＳ３６．３０４の第５．２．８項に定義される任意のセル選択状態においてそのセルを考慮するものとする場合を除き、ＷＴＲＵは、ＴＳ３６．３０４の第５．３．１項に定義されるように、そのセルを「除外された」として扱うものとする。
【０１０９】
モビリティベースの速度決定
ＬＴＥにおいて、セル再選択の数のカウントは、ＷＴＲＵが移動している速度を決定するために行われる。速度は、所与の期間にわたりセル再選択の数をカウントすることにより計算することができる。しかし、この計算は、ＣＳＧセルでは正確ではない。ＣＳＧセルはサイズが小さいので、ＣＳＧ再選択の数をカウントすることは、ＷＴＲＵが実際よりも速く移動していることを指示する可能性がある。この問題に対処するために、いくつかの代替が使用されてもよい。
【０１１０】
（１）ＷＴＲＵがキャンプオンされるごとに、またはＣＳＧセルの接続モードで、ＷＴＲＵは自動的にそのモビリティ状態を「標準モビリティ」に設定する。
【０１１１】
（２）ＣＳＧセルは、中または高のモビリティ状態を決定するために、ある時間（たとえば、ＴCRmax）におけるセル再選択の数のカウントには含まれない。
【０１１２】
（３）ＷＴＲＵは、そのモビリティ状態を決定するために、ＣＳＧセルをカウントする場合、異なる基準が与えられる。たとえば、ＷＴＲＵは、そのモビリティ基準に対してカウントするマクロセルごとに２つのＣＳＧセルをカウントする必要がある場合がある。
【０１１３】
（４）ＷＴＲＵは、ホワイトリストにあるかどうかに関わらず、ＣＳＧセルにわたるモビリティ検出のアルゴリズムの一環として取得または検出されたＣＳＧセルのＳＩＢ（たとえば、通過または横断した各ＣＳＧセルからのＳＩＢ、再選択されるかまたは再選択されないか）の数を使用することができる。
【０１１４】
ＷＴＲＵが、ＣＳＧセルのモビリティ状態の検出基準に従ってそのモビリティ状態を変更しない場合であっても、ＷＴＲＵは、ＣＳＧセル内にあるときにモビリティの変更を引き続き追跡することができ、ＣＳＧセルからマクロセルに移動する際にそのモビリティ状態を保持することができる。ＷＴＲＵはまた、異なる周波数レイヤにわたって移動する場合に、そのモビリティ状態を保持することもできる。
【０１１５】
セル間干渉の協調
マクロセルの場合とは異なるＣＳＧセルの電力制御機構を使用することができる。ＨｅＮＢは、近隣のＣＳＧセルのＷＴＲＵ測定を使用して、ＨｅＮＢによって配置され、ＷＴＲＵによって使用されるＣＳＧセルの電力を増大または減少させることができる。マクロセルの場合と比較して、異なる電力制御のパラメータをＣＳＧセルに使用することができる。
【０１１６】
本明細書において提案されるパラメータ、しきい値、およびオフセットは、単独でＷＴＲＵで構成することができる、または次の方法のうちの少なくとも１つを使用して集合的に構成することができる。
【０１１７】
（１）サービングセル（マクロまたはＣＳＧ、たとえばＳＩＢ３を使用する）でのブロードキャストシグナリング。
【０１１８】
（２）ＷＴＲＵが再選択しようとするＣＳＧセルでのブロードキャストシグナリング。
【０１１９】
（３）ＷＴＲＵに専用のシグナリング（たとえば、ＲＲＣシグナリングまたはＮＡＳシグナリング）。
【０１２０】
（４）ＷＴＲＵにおけるＣＳＧホワイトリスト構成の一部。
【０１２１】
（５）ＷＴＲＵにおいて事前に構成済み（およびオプションで、ＵＳＩＭに格納済み）。
【０１２２】
（６）固定値。
【０１２３】
上記で提案されたパラメータは、プライベートＣＳＧセルの場合とパブリックＣＳＧセルの場合で異なり得る。一部のパラメータは、マクロセルおよびＣＳＧセルでブロードキャストすることができる。一例として、ＷＴＲＵは、再選択を試みる際に（マクロセルから受信した）一部のパラメータを適用することができ、ＣＳＧセルのＳＩＢを検出すると、ＣＳＧセルから受信したパラメータの適用を開始する。たとえば、ＣＳＧセルは、ＷＴＲＵがそのＣＳＧセルに再選択するために必要な一部のパラメータをブロードキャストすることができる。この概念は、マクロセルにも適用することができる。これらのパラメータの一部は、ＳCSGsearch、ＳCSGsearchneigh、ＴｈｒｅｓｈCSG、high、ＴCSGreselection、ＱoffsetCSG、ＱhystCSG、およびＱhystCSGservingを含むことができる。ＴｈｒｅｓｈCSG、highを大きい値に設定することにより、ＣＳＧセルがそれ自体に再選択することを防ぐことができる。これはまた、干渉管理に使用することもできる。
【０１２４】
実施形態
１．ＣＳＧセルの優先順位を適用するための方法であって、ＣＳＧセルが通信することができる複数の通信周波数のそれぞれの優先順位情報を受信すること、ＷＴＲＵにおいて優先順位情報を格納すること、および、優先順位情報を、通信周波数の測定を行うこと、通信周波数のＣＳＧセルに選択することまたは通信周波数のＣＳＧセルに再選択することのうちの少なくとも１つに適用することを含む方法。
【０１２５】
２．適用することは、最高の優先順位の通信周波数を選択することを含む実施形態１に記載の方法。
【０１２６】
３．ＣＳＧセルは、ＣＳＧセルがＷＴＲＵのホワイトリストで構成されていることを条件として、非ＣＳＧセルよりも高い優先順位を有することができる実施形態１または２に記載の方法。
【０１２７】
４．セル再選択がＣＳＧセルと非ＣＳＧセルとの間で検討されることを条件として、非ＣＳＧセルは、ＣＳＧセルよりも低い優先順位を有するものと仮定される実施形態１ないし３のいずれか一項に記載の方法。
【０１２８】
５．２つ以上のＣＳＧセルをＣＳＧセルの目的に基づいてグループに関連付けること、および、グループ識別子をＣＳＧ識別子に追加することであって、それによりグループ識別はグループ識別子を読み取ることによって決定することができることを含む、ＣＳＧセルをグループ化することをさらに含む実施形態１ないし４のいずれか一項に記載の方法。
【０１２９】
６．グループ識別子は、ＣＳＧ識別子の第１の部分に追加される実施形態５に記載の方法。
【０１３０】
７．無線送信／受信ユニットは、グループ識別子を読み取ることによってＣＳＣセルの使用を可能にするかどうかを決定することができる実施形態５または６に記載の方法。
【０１３１】
８．グループ識別子は、ＣＳＧホワイトリスト構成の一部として無線送信／受信ユニットで構成される実施形態５ないし７のいずれか一項に記載の方法。
【０１３２】
９．グループ識別子は、物理チャネル、管理情報ベース、またはシステム情報ブロックのうちの１つを介して無線送信／受信ユニットに信号通知される実施形態５ないし８のいずれか一項に記載の方法。
【０１３３】
１０．ブロードキャストチャネルで１ビットのインジケータを提供することを含む、ＣＳＧセルのステータスを指示することであって、インジケータはＣＳＧセルがパブリックＣＳＧセルまたはプライベートＣＳＧセルのいずれであるかを指示することをさらに含む実施形態１ないし９のいずれか一項に記載の方法。
【０１３４】
１１．ＣＳＧ周波数の測定を行うこと、複数のＣＳＧセルを検出すること、および、ＣＳＧセルの物理レイヤセル識別子がＣＳＧセルのホワイトリスト内のエントリと一致しない場合、検出されたＣＳＧセルのうちの１つを無視することを含む、ＷＴＲＵによって複数のＣＳＧセルを処理することをさらに含む実施形態１ないし１０のいずれか一項に記載の方法。
【０１３５】
１２．ＷＴＲＵのユーザから手動の検索要求を受信すること、手動の検索要求に基づいてＣＳＧ周波数の測定を行うこと、複数のＣＳＧセルを検出すること、および、検出されたＣＳＧセルをユーザに提供することであって、ＷＴＲＵによってアクセス可能なＣＳＧセルのみが提供されることを含む、ＷＴＲＵによって複数のＣＳＧセルを処理することをさらに含む実施形態１ないし１０のいずれか一項に記載の方法。
【０１３６】
１３．ＣＳＧセルは、ＣＳＧセルの物理レイヤセル識別子がＷＴＲＵのホワイトリスト内にある場合、ＷＴＲＵによってアクセス可能である実施形態１２に記載の方法。
【０１３７】
１４．ＣＳＧセルは、ＣＳＧセルの周波数情報がＷＴＲＵのホワイトリスト内にある場合、ＷＴＲＵによってアクセス可能である実施形態１２または１３に記載の方法。
【０１３８】
１５．ＣＳＧセルは、ＣＳＧセルのグループ識別子がＷＴＲＵのホワイトリスト内にある場合、ＷＴＲＵによってアクセス可能である実施形態１２ないし１４のいずれか一項に記載の方法。
【０１３９】
１６．ＣＳＧ周波数の測定を行うこと、複数のＣＳＧセルを検出すること、１つのＣＳＧセルの識別子がＷＴＲＵのホワイトリスト内のエントリと一致するかどうかを決定すること、および、ＣＳＧ識別子がＷＴＲＵのホワイトリスト内のエントリと一致しない場合、その１つのＣＳＧセルを無視することを含む、ＷＴＲＵによって複数のＣＳＧセルを処理することをさらに含む実施形態１ないし１０のいずれか一項に記載の方法。
【０１４０】
１７．１つのＣＳＧセルを無視することは、マクロセルにキャンプオンすることを含む実施形態１６に記載の方法。
【０１４１】
１８．１つのＣＳＧセルを無視することは、マクロセルの品質が所定のしきい値を超える場合に限り、マクロセルにキャンプオンすることを含む実施形態１６に記載の方法。
【０１４２】
１９．１つのＣＳＧセルを無視することは、別のＣＳＧセルに再選択することを含む実施形態１６に記載の方法。
【０１４３】
２０．１つのＣＳＧセルを無視することは、ＷＴＲＵによって保持されるＣＳＧセルの優先順位付けリストで次のベストＣＳＧセルに再選択することを含む実施形態１６に記載の方法。
【０１４４】
２１．第１のＣＳＧセルにキャンプオンすること、および、周波数内再選択インジケータを検査することであって、設定されている場合、周波数内再選択インジケータは全周波数がＷＴＲＵにより再選択から除外されることを指示することを含む、ＷＴＲＵによりＣＳＧセル間で再選択することをさらに含む実施形態１ないし２０のいずれか一項に記載の方法。
【０１４５】
２２．同じ周波数内の他のセルを検索するために、周波数内再選択インジケータを無視することをさらに含む実施形態２１に記載の方法。
【０１４６】
２３．ＣＳＧ周波数の測定を行うこと、複数のＣＳＧセルを検出すること、無線関連の基準に基づいて、検出されたＣＳＧセルをフィルタリングすること、および、フィルタリングされたＣＳＧセルをさらなる評価のために非アクセス階層に提供することを含む、ＷＴＲＵによる手動のＣＳＧセル選択をさらに含む実施形態１ないし２２のいずれか一項に記載の方法。
【０１４７】
２４．提供することは、あるしきい値を下回るＣＳＧセルだけを提供することを含む実施形態２３に記載の方法。
【０１４８】
本明細書において開示される実施形態はＬＴＥシステムに関連するが、説明した原理はまた、任意の無線アクセスシステム（たとえば、ＷＣＤＭＡ、ＧＥＲＡＮなど）に（適度な変更を加えて）適用することもできる。特徴および要素は、特定の組合せで上述したが、各々の特徴または要素は、他の特徴および要素を用いることなく単独で使用するか、または他の特徴および要素の有無に関わらずさまざまな組合せで使用することができる。本明細書において提供される方法もしくはフローチャートは、汎用コンピュータまたはプロセッサにより実行するためにコンピュータ可読記憶媒体に組み込まれたコンピュータプログラム、ソフトウェアもしくはファームウェアにおいて実施することができる。コンピュータ可読記憶媒体の例として、ＲＯＭ（Read On Memory）、ＲＡＭ（Random Access Memory）、レジスタ、キャッシュメモリ、半導体メモリデバイス、内蔵ハードディスクおよび取外し可能なディスクなどの磁気媒体、磁気光学媒体、ＣＤ−ＲＯＭディスクおよびデジタル多用途ディスク（ＤＶＤ）などの光媒体を含む。
【０１４９】
適切なプロセッサの例として、汎用プロセッサ、特殊用途プロセッサ、従来型プロセッサ、デジタルシグナルプロセッサ（ＤＳＰ）、複数のマイクロプロセッサ、ＤＳＰコアと関連する１つまたは複数のマイクロプロセッサ、コントローラ、マイクロコントローラ、特殊用途向け集積回路（ＡＳＩＣ）、ＦＰＧＡ（Field Programmable Gate Array））回路、任意の他のタイプの集積回路（ＩＣ）、および／または状態機械を含む。
【０１５０】
ソフトウェアと関連するプロセッサは、無線送受信ユニット（ＷＴＲＵ）、ユーザ機器（ＩＥ）、端末、基地局、無線ネットワークコントローラ（ＲＮＣ）、または任意のホストコンピュータにおいて使用する無線周波数送受信機を実施するために使用することができる。ＷＴＲＵは、モジュールと共に使用してカメラ、ビデオカメラモジュール、テレビトランシーバ、スピーカーホン、振動装置、スピーカー、マイクロホン、テレビ送受信機、ハンドフリーヘッドセット、キーボード、ブルートゥース（登録商標）モジュール、ＦＭ（周波数変調）無線装置、ＬＣＤ（液晶ディスプレイ）表示装置、ＯＬＥＤ（有機発光ダイオード）表示装置、デジタル音楽プレイヤー、メディアプレイヤー、テレビゲームプレイヤーモジュール、インターネットブラウザ、および／または任意のＷＬＡＮ（wireless local area network）もしくはＵＷＢ（Ultra Wide Band）モジュールなどのハードウェア、および／または、ソフトウェアで実施することができる。
【図１】
0005827283.tif 000002
【図２】
0005827283.tif 000003
【図３】
0005827283.tif 000004
【図４】
0005827283.tif 000005
【図５】
0005827283.tif 000006
【図６】
0005827283.tif 000007
【図７】
0005827283.tif 000008
【図８】
0005827283.tif 000009